(57)【特許請求の範囲】
【請求項１】
記録媒体が装着されるターンテーブルを有するドライブシャーシと、前記ドライブシャーシに対向し且つ導入された記録媒体を前記ターンテーブルに対向する位置へ案内して保持する保持部材と、前記保持部材を、ドライブシャーシから離れた位置で且つ記録媒体を受け入れ可能な待機位置から、ドライブシャーシに接近してこの保持部材に保持された記録媒体をターンテーブルに装着する駆動位置へ移動させる昇降駆動手段と、が設けられた記録媒体駆動装置において、
前記ドライブシャーシに、規制部材が一体に形成され、または規制部材が固定されており、前記保持部材が前記ドライブシャーシに接近して前記駆動位置となったときに、前記規制部材によって前記保持部材への記録媒体の導入経路が遮断され、前記保持部材が前記ドライブシャーシから離れて前記待機位置へ移動するときに、前記導入経路が前記規制部材から離れて、記録媒体が前記保持部材内へ導入可能とされることを特徴とする記録媒体駆動装置。
【請求項２】
前記保持部材には、記録媒体が導入される受け入れ口が開口しており、前記保持部材が駆動位置となったときに、前記受け入れ口が前記規制部材に対向する請求項１記載の記録媒体駆動装置。
【請求項３】
前記保持部材の前方には、前記保持部材に向けて記録媒体を挿入可能な挿入口を有するパネルが設けられ、前記規制部材は、前記保持部材と前記挿入口との間に設けられている請求項１または２記載の記録媒体駆動装置。
【請求項４】
前記ドライブシャーシには、前記保持部材が駆動位置に移動したときにこの保持部材に保持されている記録媒体により出力が切り換えられるスイッチが設けられており、前記規制部材は、前記スイッチよりも記録媒体の導入方向の手前側に配置されている請求項１ないし３のいずれかに記載の記録媒体駆動装置。
【発明の詳細な説明】
【０００１】
【発明の属する技術分野】
本発明は、車載用のＭＤ（ミニディスク）プレーヤ等の記録媒体駆動装置に係わり、特に記録媒体を案内する保持部材が駆動位置に至ったときに、記録媒体が誤挿入されるのを防止する記録媒体駆動装置に関する。
【０００２】
【従来の技術】
図６は、従来の記録媒体駆動装置として、車載用のＭＤプレーヤの駆動ユニットを示す平面図、図７は保持部材であるホルダが上昇した待機位置にある状態を示す駆動ユニットの側部断面図、図８はホルダが下降して駆動位置にある状態を示す駆動ユニットの側部断面図である。
【０００３】
図６〜図８に示す駆動ユニットＵでは、図示右端（Ｙ１側）にＭＤ（ミニディスク）プレーヤの筐体を構成する正面パネルＰが設けられている。前記正面パネルＰには、光磁気ディスクを収納したＭＤパック１が挿入されまた排出される挿入口Ｐ１が形成されている。
【０００４】
駆動ユニットＵは機構シャーシ２の内部に、ホルダ３およびディスク駆動部４を有している。ホルダ３はＭＤパック１の保持部材であり、箱型形状に形成され、図示Ｙ１側がＭＤパック１を受け入れる受け入れ口３ａとなっている。図７に示すように、ホルダ３が上昇して待機位置にあるとき、前記受け入れ口３ａが前記挿入口Ｐ１の内側に対向する。またホルダ３は、下面の一部が開口しており、ホルダ３に案内されて保持されるＭＤパック１内の光磁気ディスクの中央部に設けられたクランピングプレートがホルダ３の下側に露出する。
【０００５】
ホルダ３は、図示しない昇降駆動手段により、図７に示すようにディスク駆動部４から離れる待機位置と、図８に示すようにディスク駆動部４へ接近する駆動位置との間で、昇降移動させられる。
【０００６】
ホルダ３には、図示しない移送手段が設けられており、ホルダ３が図７に示す待機位置にあるとき、ＭＤパック１が前記受け入れ口３ａから導入されると、このＭＤパック１が前記移送手段によりＹ２方向へ移送され、また駆動を完了したＭＤパック１は、前記待機位置において前記移送手段により受け入れ口３ａから排出される。
【０００７】
ディスク駆動部４では、ドライブシャーシ５上にターンテーブル６が設けられ、ドライブシャーシ５の下側に、前記ターンテーブル６を回転させるスピンドルモータ７が固定されている。また前記ドライブシャーシ５にはＭＤパック１内の光磁気ディスクに記録された信号を読み取るピックアップが設けられている（図示せず）。
【０００８】
上記構成から成るＭＤプレーヤは、通常図７に示すように、ホルダ３が待機位置にあるときに、ＭＤパック１が正面パネルＰの挿入口Ｐ１から挿入され、受け入れ口３ａからホルダ３内に導入される。ＭＤパック１の導入が検出されると、前記移送手段によりＭＤパック１がホルダ３内に引き込まれ、ＭＤパック１はドライブシャーシ５と重なる位置に案内されて保持される。
【０００９】
ＭＤパック１がホルダ３内に保持されると、その後の一連の動作により、ホルダ３が図８に示すようにドライブシャーシ５に向けて下降させられて駆動位置に至り、ＭＤパック１内の光磁気ディスクの中心のクランピングプレートがターンテーブル６に装着される。
【００１０】
ドライブシャーシ５のＹ１側の先端の部分では、図示Ｘ１側にロケート部材８が設けられ、図示Ｘ２側に押圧スイッチ９が設けられている。前記ロケート部材８および押圧スイッチ９のアクチュエータ９ａは、ドライブシャーシ５上から突出している。またＭＤパック１の下面の図示Ｘ１側には、録音再生用パックと再生専用パックの双方ともに位置決め孔１ａが形成されている。またＭＤパック１の下面のＸ２側では録音再生用パックにおいてのみ識別孔１ｂが形成されている。
【００１１】
図８に示すように、ホルダ３が駆動位置に下降したときに、ＭＤパック１の前記位置決め孔１ａが、ドライブシャーシ５に設けられたロケート部材８に嵌合して、ＭＤパック１が位置決めされる。また、ＭＤパック１が表裏逆向きで挿入されたとき、または横向きに挿入されたときなどのように不正常な姿勢でホルダ３に保持されているときには、ホルダ３が下降したときに、ＭＤパック１がロケート部材８に当り、ＭＤパック１がターンテーブル６に無理に押し付けられることがない。またホルダ３が図８の駆動位置に至ったときに、前記押圧スイッチ９により記録再生用パックか否かの識別が行われる。
【００１２】
【発明が解決しようとする課題】
前記のように、この種のプレーヤでは、図７に示すようにホルダ３が待機位置に上昇している状態で、挿入口Ｐ１および受け入れ口３ａからＭＤパック１がホルダ３内に導入される。この導入が検知されると、前記移送手段によりＭＤパック１がホルダ３内に引き込まれ、さらにＭＤパック１がホルダ３内に保持された後に、図８に示すように、ホルダ３が駆動位置へ下降する。これは、モータの動力により一連の動作として行われる。
【００１３】
ここで、図７の状態で、ＭＤパック１を挿入口Ｐ１および受け入れ口３ａからホルダ３内に挿入した直後に、ＭＤパック１が挿入口Ｐ１から引き抜かれたとする。このときに、ホルダ３内にＭＤパック１が挿入されたことが検出出段で検知されると、ＭＤパック１が引き抜かれているにもかかわらず、前記移送手段が動作するとともに、その後にホルダ３が図８に示す駆動位置に下降させられる。
【００１４】
また、ＭＤパック１が正常な向きではなく、９０度回転させた横向きで挿入されたときには、前記移送手段でＭＤパック１を保持できないことがある。このときには、パックの挿入が検出された後に、移送手段は、ＭＤパック１と全く係合することなく装置奥方向（Ｙ２方向）へ移動してしまう。この場合、ＭＤパック１の一部が挿入口Ｐ１から突出し、先部がホルダ３に保持されたままの状態で移送手段が動作し、その動作が完了すると、ホルダ３は図８に示す駆動位置へ下降しようとする。しかし、前記ＭＤパック１が挿入口Ｐ１に掛かっているため、ホルダ３が下降できないという現象が発生する。このとき、挿入口Ｐ１から突出しているＭＤパック１をホルダ３内から引き抜くと、その後に空のホルダ３が、図８に示すように駆動位置に下降させられることになる。
【００１５】
このような場合に、正面パネルＰに設けられたイジェクト操作釦（図示せず）を押せば、昇降駆動手段が逆転動作して、ホルダ３を図７に示す待機状態に復帰させることができる。しかし、使用者は、空のホルダ３が図８の駆動位置に下降している状態で、再度挿入口Ｐ１からＭＤパック１を挿入するという操作を行うおそれがある。
【００１６】
ここで、図７、図８に示すように、ホルダ３の受け入れ口３ａが、正面パネルＰの挿入口Ｐ１から離れているものでは、図８の状態でＭＤパック１が挿入口Ｐ１から挿入されると、鎖線で示す斜めの姿勢のまま、ＭＤパック１の先部が受け入れ口３ａからホルダ３の内部に挿入可能となる。このとき、ＭＤパック１がＹ２方向へ強く押されると、ホルダ３内に突出している押圧スイッチ９のアクチュエータ９ａが破損され、またはアクチュエータ９ａが側方から強く押されることにより、押圧スイッチ９の故障が生じるおそれがある。
【００１７】
ホルダ３内ではＸ１側にロケート部材８があるため、Ｘ１側ではＭＤパック１の無理な挿入を防ぐことができるが、押圧スイッチ９は前記ロケート部材８と離れた位置にあるため、ＭＤパック１の先部が押圧スイッチ９のアクチュエータ９ａに押し付けられる現象を避けることができない。
【００１８】
また押圧スイッチ９が設けられていないものであっても、ＭＤパック１がＸ２側でホルダ３内に押し込まれることにより、ホルダ３内の他の機構を破損させたり、またはホルダ３の受け入れ口３ａが無理矢理ドライブシャーシ５から持ち上げられることによって、ホルダ３の支持部材や昇降駆動手段を故障させる原因となる場合がある。
【００１９】
本発明は上記従来の課題を解決するためのものであり、保持部材が駆動位置にあるときに、記録媒体が保持部材内に挿入されるのを阻止し、保持部材内に位置するスイッチやその他の機構の破損などを防止できる記録媒体駆動装置を提供することを目的としている。
【００２０】
【課題を解決するための手段】
本発明は、記録媒体が装着されるターンテーブルを有するドライブシャーシと、前記ドライブシャーシに対向し且つ導入された記録媒体を前記ターンテーブルに対向する位置へ案内して保持する保持部材と、前記保持部材を、ドライブシャーシから離れた位置で且つ記録媒体を受け入れ可能な待機位置から、ドライブシャーシに接近してこの保持部材に保持された記録媒体をターンテーブルに装着する駆動位置へ移動させる昇降駆動手段と、が設けられた記録媒体駆動装置において、
前記ドライブシャーシに、規制部材が一体に形成され、または規制部材が固定されており、前記保持部材が前記ドライブシャーシに接近して前記駆動位置となったときに、前記規制部材によって前記保持部材への記録媒体の導入経路が遮断され、前記保持部材が前記ドライブシャーシから離れて前記待機位置へ移動するときに、前記導入経路が前記規制部材から離れて、記録媒体が前記保持部材内へ導入可能とされることを特徴とするものである。
【００２１】
本発明での記録媒体は、ＭＤなどのようにカートリッジに収納されたパック状態のもの、あるいはカートリッジに収納されていないディスク、またはリッドの開放により磁気テープが露出するテープカセットなどである。また保持部材は、導入される記録媒体を保持する箱形状のものであってもよいし、あるいは記録媒体の両側部のみを案内して保持する一対の案内部材で構成されているものであってもよい。
【００２２】
また、前記保持部材の前方には、前記保持部材に向けて記録媒体を挿入可能な挿入口を有するパネルが設けられ、前記規制部材は、前記保持部材と前記挿入口との間に設けられていることが好ましい。
【００２３】
特に、前記挿入口と、保持部材の受け入れ口とが離れているものにおいて、規制部材を前記挿入口と受け入れ口との間に配置することにより、挿入口から、駆動位置にある保持部材の受け入れ口へ向けて記録媒体が挿入されるのを有効に防止できる。ただし、規制部材は、駆動位置にある保持部材の内側で且つ受け入れ口側に寄った位置で、正常に保持されている記録媒体に当たらない位置に設けられてもよい。
【００２４】
本発明は、前記ドライブシャーシには、前記保持部材が駆動位置に移動したときにこの保持部材に保持されている記録媒体により出力が切り換えられるスイッチが設けられており、前記規制部材は、前記スイッチよりも記録媒体の導入方向の手前側に配置されているものにおいて、特に有効である。
この場合に、誤って挿入される記録媒体で、スイッチが無理に押されることを防止できる。
【００２６】
【発明の実施の形態】
以下、本発明について図面を参照して説明する。
図１は本発明における記録媒体駆動装置の実施の形態としてＭＤプレーヤの駆動ユニットを示す平面図、図２は図１の正面図、図３は駆動ユニット内部のホルダとＭＤパックを示す平面図、図４は保持部材であるホルダが上昇した待機位置にある状態を示す駆動ユニットの側部断面図、図５はホルダが下降した駆動位置にある状態を示す駆動ユニットの側部断面図である。
【００２７】
図１に示す駆動ユニットＵの機構シャーシ１２の内部には、ＭＤパック１（記録媒体）の保持部材であるホルダ１３、ＭＤパック１内の光磁気ディスク（図示せず）の回転駆動および情報の再生を行なうディスク駆動部（駆動手段）１４が設けられている。
【００２８】
ホルダ１３は、正面パネルＰに対向する部分が、ＭＤパック１を受け入れる受け入れ口１３ａである（図３参照）。ホルダ１３の内部には、正常な姿勢でＭＤパック１が導入されたときに、このＭＤパック１の両側部に形成されている凹部を挟持する挟持部材２０が設けられている。挟持部材２０は、図１に示す連結ピン２１ｃにより移送アーム２１に連結されている。また移送アーム２１はホルダ１３の上面において回動軸２１ａにより回動自在に支持されている。
【００２９】
前記移送アーム２１のα１−α２方向への回動により、挟持部材２０は、図示Ｙ１およびＹ２方向に移動させられる。この移送アーム２１によって挟持部材２０がＹ２方向に引き込まれることにより、挟持部材２０で挟持されたＭＤパック１がホルダ１３の内部に案内されて保持される。一方、移送アーム２１により挟持部材２０がＹ１方向に移動させられると、ホルダ１３の受け入れ口１３ａからＭＤパック１が排出される。前記挟持部材２０および移送アーム２１により、記録媒体であるＭＤパック１の移送手段が構成されている。
【００３０】
ディスク駆動部１４を構成しているドライブシャーシ１５は、機構シャーシ１２の内部に設けられた複数のダンパーやスプリングコイル等の弾性支持部材２２によって弾性支持されており、車の走行により発生する振動がドライブシャーシ１５に直接作用しないように構成されている。ドライブシャーシ１５の下面には、スピンドルモータ１７が設けられ、このスピンドルモータ１７の回転軸の先端は、ドライブシャーシ１５の上方へ突出し、この回転軸にターンテーブル１６が固定されている。
【００３１】
また、正面パネルＰに対向するＹ１側において、ドライブシャーシ１５の一方の側部（図示Ｘ１側）にロケート部材１８が設けられ、他方の側部（図示Ｘ２側）に押圧スイッチ１９が設けられている。押圧スイッチ１９のアクチュエータ１９ａは、ドライブシャーシ１５から上方（Ｚ１方向）に突出している。
【００３２】
そして、このアクチュエータ１９ａの近傍で且つアクチュエータ１９ａよりも正面パネルＰ側、さらに詳しくは、前記ホルダ１３の受け入れ口１３ａと、正面パネルＰに形成された挿入口Ｐ１との間では、ドライブシャーシ１５の一部が切り起され且つ上方へ折り曲げられた規制突起（規制部材）１５ａがこのドライブシャーシ１５と一体に形成されて設けられている。
【００３３】
この規制突起１５ａの高さ寸法は次のようにして決められている。図４に示すように、ホルダ１３がドライブシャーシ１５から離れる待機位置にあるとき、ホルダ１３の受け入れ口１３ａは、その開口寸法の全域が前記規制突起１５ａから外れ、正面パネルＰに開口する挿入口Ｐ１からホルダ１３へのパック導入経路を妨げない。一方、図５に示すように、ホルダ１３がドライブシャーシ１５へ下降した駆動位置にあるとき、規制突起１５ａがホルダ１３の受け入れ口１３ａの前方に位置して、前記挿入口Ｐ１からホルダ１３の受け入れ口１３ａへのパック導入経路が遮断される。この条件がいづれも満たされるように規制突起１５ａの高さ寸法が設定されている。
【００３４】
駆動ユニットＵのＸ１およびＸ２方向の両側部には、摺動板１０ａ，１０ｂがそれぞれ設けられている。この摺動板１０ａ，１０ｂは、図示Ｙ方向へ互いに同一方向に又は互いに逆方向へそれぞれ移動可能となっている。前記ホルダ１３およびドライブシャーシ１５は、この摺動板１０ａ，１０ｂに形成された摺動溝（図示せず）内にそれぞれ支持されている。この摺動溝はＹ方向に向うにしたがってＺ方向へ斜めに延びるものであり、前記摺動板１０ａ，１０ｂがＹ方向に移動することにより、ホルダ１３は図４に示すようにドライブシャーシ１５から離れる待機位置と、図５に示すようにドライブシャーシ１５に接近する駆動位置との間で昇降移動させられる。この摺動板１０ａ，１０ｂは図１に示すモータＭの動力により前記Ｙ方向へ駆動される。このモータＭおよび前記摺動板１０ａ，１０ｂとで、ホルダ１３を昇降駆動する昇降駆動手段が構成されている。
【００３５】
また、前記一方の摺動板１０ｂと前記移送アーム２１が連結ピン２１ｂにより連結されており、前記摺動板１０ｂの摺動力により前記移送アーム２１が回動させられる。その結果、前記モータＭの回転力により摺動板１０ａ，１０ｂが駆動されると、移送アーム２１および挟持部材２０によるＭＤパック１の引き込み移送動作と、ホルダ１３の図５に示す駆動位置への下降動作が一連の動作として行われる。
【００３６】
ＭＤパック１が挿入される前の待機状態においては、前記ホルダ１３は図４に示すように、ドライブシャーシ１５から上方へ離れた待機位置にあり、このときホルダ１３の受け入れ口１３ａは、正面パネルＰの挿入口Ｐ１に対向する。またこの待機位置にあるとき、移送アーム２１は図１に示すようにα１方向に回動しており、挟持部材２０がホルダ１３の受け入れ口１３ａ側（Ｙ１側）に位置している。
【００３７】
この待機状態で、ＭＤパック１は、正面パネルＰの挿入口Ｐ１に挿入され、ＭＤパック１の先部は前記挿入口Ｐ１から離れた位置にあるホルダ１３の受け入れ口１３ａに挿入される。このとき、ＭＤパック１が正常な姿勢で入れられると、ＭＤパック１の両側部に形成されている凹部が挟持部材２０で挟持される。ＭＤパック１の押し込み力で挟持部材２０を介して移送アーム２１が図１のα２方向へ回動させられると、移送アーム２１に連結された補助部材２３が軸２３ａを中心としてβ方向に回動し、スイッチＳＷ１の押圧が解除される。この押圧解除のスイッチ信号により、ＭＤパック１がホルダ１３内に挿入されたことが検知される。そして、モータＭが始動し、摺動板１０ａ，１０ｂがＹ方向へ駆動される。一方の摺動板１０ｂの移動力により移送アーム２１がさらにα２方向に回動させられ、これにより、挟持部材２０がＹ２方向へ移動し、この挟持部材２０に保持されたＭＤパック１がホルダ１３内をターンテーブル１６に対向する位置まで図示Ｙ２方向に案内されてホルダ１３に保持される。
【００３８】
挟持部材２０がホルダ１３内をＹ２方向へ移動してＭＤパック１がホルダ１３に保持された後に、さらに摺動板１０ａ，１０ｂが移動すると、この摺動板１０ａ，１０ｂに形成された摺動溝によりホルダ１３が図５に示すようにドライブシャーシ１５方向へ下降させられて駆動位置となる。
【００３９】
このとき、ＭＤパック１内の光磁気ディスクの中心のクランピングプレートが、ディスク駆動部１４のターンテーブル１６上に装着される。また正常な姿勢で挿入されたＭＤパック１の底部に形成されている位置決め孔１ａが、ドライブシャーシ１５に設けられたロケート部材１８に嵌合する。なお、ＭＤパック１がホルダ１３内へ上下逆や９０度方向を変えた不正常な状態で保持されていると、前記位置決め孔１ａがロケート部材１８と嵌合せず、ＭＤパック１とロケート部材１８とが当たって、ホルダ１３が図５に示す駆動位置に下降できなくなる。この場合は、挿入異常として判断され、ホルダ１３が上昇してＭＤパック１が排出される。
【００４０】
また、録音再生用のＭＤパック１の場合には、前記アクチュエータ１９ａがＭＤパック１の下面の識別孔１ｂ内に挿入され、押圧スイッチ１９はＯＦＦとなる。一方、再生専用のＭＤパック１の場合には、前記識別孔１ｂが設けられていないため、アクチュエータ１９ａがＭＤパック１で押されてＯＮ状態になる。このように、押圧スイッチ１９の切換出力がＯＮかＯＦＦかにより、挿入されたＭＤパック１が録音再生用であるか、あるいは再生専用のものであるか検出される。
【００４１】
上記の動作で、ターンテーブル１６上にＭＤパック１内の光磁気ディスクが装填されると、ディスク駆動部１４のスピンドルモータ１７によりターンテーブル１６と共に光磁気ディスクが回転駆動され、ディスク駆動部１４に設けられたピックアップ（図示せず）により、光磁気ディスク内の情報が再生される。このとき、ドライブシャーシ１５の規制突起１５ａは、ホルダ１３に保持されたＭＤパック１のＹ１側端面よりもさらにＹ１側に位置している。よって、ホルダ１３の昇降時にＭＤパック１と規制突起１５ａとが衝突することはない。  ここで、ＭＤパックの異常挿入動作について説明する。
【００４２】
ＭＤパック１が正常な姿勢で挿入口Ｐ１からホルダ１３内に挿入され、ＭＤパック１の先端で前記挟持部材２０が押圧され、移送アーム２１がα２方向へ回動させられ、補助部材２３がスイッチＳＷ１から離れると、ＭＤパック１の挿入が検出されてモータＭの動力で摺動板１０ａ，１０ｂが始動させられ、移送アーム２１がα２方向へ回動し、挟持部材２０がＹ２方向へ移動し始める。このとき、ＭＤパック１が挿入口Ｐ１から人為的に引き出されると、挟持部材２０とＭＤパック１との係合が外れ、挟持部材２０のみがＹ２方向へ移動する。そのまま、摺動板１０ａ，１０ｂが動作を継続して、ホルダ１３が空のまま図５に示すようにドライブシャーシ１５に下降して駆動位置に至る。
【００４３】
あるいは、図４の状態で、ＭＤパック１が９０度方向を変えた横向きで挿入口Ｐ１からホルダ１３内に挿入されるときも同様に、挟持部材２０が押され、スイッチＳＷ１の出力が切り換わり、モータＭが始動して挟持部材２０がＹ２方向へ移動する。このときには、ＭＤパック１の先部が挟持部材２０で挟持されることなく、挟持部材２０がＹ２方向へ動き出すため、誤った向きで挿入されたＭＤパック１は、一部がホルダ１３内に残り、一部が挿入口Ｐ１から突出したままである。この状態で、挟持部材２０がＹ２方向へ移動すると、さらに摺動板１０ａ，１０ｂが動作してホルダ１３が図５に示す駆動位置へ下降しようとするが、ＭＤパック１が挿入口Ｐ１とホルダ１３内との間で引っ掛かっているため、ホルダ１３が下降できなくなる。そしてその後、ＭＤパック１が挿入口Ｐ１から引き抜かれると、空のホルダ１３が図５に示す駆動位置へ下降する。
【００４４】
空のホルダ１３が下降した状態で、図示しないイジェクト操作釦を押せば、前記モータＭが逆転し、ＭＤパック１の排出動作と同様な動作が行われて、ホルダ１３は図４の待機位置に復帰する。あるいは、ピックアップの焦点合せ動作が所定時間内に完了しないことを検知して、モータＭが逆転し、ホルダ１３が待機位置に復帰する。
【００４５】
しかし、空のホルダ１３が図５に示す駆動位置に下降している状態で、挿入口Ｐ１から再度ＭＤパック１が挿入されることがある。図５に示すように、ホルダ１３の受け入れ口１３ａと挿入口Ｐ１とが離れている場合において、挿入口Ｐ１からＭＤパック１を斜め下向きに挿入すると、その先部が前記受け入れ口１３ａ内に入ることになる。
【００４６】
ただし、このとき、Ｘ２側では、受け入れ口１３ａの前方に規制突起１５ａが対向して、ＭＤパック１の導入経路を遮断しているために、ＭＤパック１の先部が規制突起１５ａに当たり、さらにホルダ１３内に入り込むことがない。よって、Ｘ２側に位置している押圧スイッチ１９のアクチュエータ１９ａがＭＤパック１により無理に押し込まれることがなく、破損等を防止することができる。なお、Ｘ１側ではドライブシャーシ１５からロケート部材１８が突出しているため、こちら側でもＭＤパック１がホルダ１３内に無理に挿入されることがない。
【００４７】
なお、前記規制突起１５ａはドライブシャーシ１５の上に突出するピンのようなものであって、ドライブシャーシ１５に固定されて取り付けられたものでもよい。
【００４８】
【発明の効果】
以上詳述した本発明によれば、保持部材が空の状態で駆動位置へ移動しているときに、この位置にある保持部材内に記録媒体が無理矢理挿入されることがなく、保持部材内に位置する機構やスイッチなどの破損を防止できる。
また規制部材をドライブシャーシに設け、保持部材が駆動位置に至ったときのみ、保持部材への記録媒体の導入経路を遮断するように、前記規制部材の高さを設定しておくと、簡単な機構で前記記録媒体の挿入を阻止できる。
【図面の簡単な説明】
【図１】本発明における記録媒体駆動装置の実施の形態として、ＭＤプレーヤの駆動ユニットを示す平面図、
【図２】図１の正面図、
【図３】駆動ユニット内部のホルダとＭＤパックを示す平面図、
【図４】ホルダが待機位置にある状態を示す駆動ユニットの側部断面図、
【図５】ホルダが駆動位置にある状態を示す駆動ユニットの側部断面図、
【図６】従来の記録媒体駆動装置として、ＭＤプレーヤの駆動ユニットを示す平面図、
【図７】ホルダが待機位置にある状態を示す駆動ユニットの側部断面図、
【図８】ホルダが駆動位置にある状態を示す駆動ユニットの側部断面図、
【符号の説明】
１  ＭＤパック（記録媒体）
１３  ホルダ（保持部材）
１３ａ  受け入れ口
１４  ディスク駆動部（駆動手段）
１５  ドライブシャーシ
１５ａ  規制突起（規制部材）
１６  ターンテーブル
１８  ロケート部材
１９  押圧スイッチ（スイッチ）
１９ａ  アクチュエータ
Ｕ  駆動ユニット
Ｐ  正面パネル
Ｐ１  挿入口
【図１】
0003730032.tif 000002
【図２】
0003730032.tif 000003
【図３】
0003730032.tif 000004
【図４】
0003730032.tif 000005
【図５】
0003730032.tif 000006
【図６】
0003730032.tif 000007
【図７】
0003730032.tif 000008
【図８】
0003730032.tif 000009